(57)【要約】  本発明は、端末装置のタッチパネルに表示されたドキュメント画面に入力するための入力デバイスにおいて、検出部におけるタッチパネルへのタッチ操作を検出し、タッチ操作が検出された場合、入力デバイスのデバイスＩＤを少なくとも含むデバイス情報を端末装置に送信する。
2015189942.tif 000002
【特許請求の範囲】
【請求項１】
端末装置のタッチパネルに表示されたドキュメント画面に入力するための、
入力デバイスのデバイスＩＤを少なくとも含むデバイス情報を記憶するデバイス情報記憶手段と、
検出部における前記タッチパネルへのタッチ操作を検出するタッチ操作検出手段と、
前記タッチ操作が検出された場合、前記デバイス情報を前記端末装置に送信するデバイス情報送信手段と、
を備えたことを特徴とする、入力デバイス。
【請求項２】
前記デバイス情報は、
更に、前記入力デバイスの用途属性を含む、請求項１に記載の入力デバイス。
【請求項３】
前記デバイス情報は、
更に、前記入力デバイスの書式属性を含む、請求項１または２に記載の入力デバイス。
【請求項４】
前記デバイス情報は、
更に、前記入力デバイスのユーザに関するユーザ情報を含む、請求項１乃至３のいずれか一つに記載の入力デバイス。
【請求項５】
前記入力デバイスを使用して入力された入力内容は、
前記端末装置にて電子署名が付加されて保持される、請求項１乃至４のいずれか一つに記載の入力デバイス。
【請求項６】
前記ドキュメント画面は、
前記入力デバイスを使用した入力の許否に関する入力権限属性が設定された入力項目が重畳され、
前記ユーザ情報は、
前記入力デバイスを使用した前記入力項目への入力の許否の判定において、前記入力権限属性と比較するためのものである、請求項４に記載の入力デバイス。
【請求項７】
前記入力デバイスを使用して入力された入力内容は、
前記端末装置にてＯＣＲ変換されて保持される、請求項１乃至６のいずれか一つに記載の入力デバイス。
【請求項８】
前記用途属性が補足事項入力用である場合、前記入力デバイスを使用して入力された補足内容は、
前記補足事項入力用以外の前記用途属性を有する前記入力デバイスを使用して入力された入力内容とは別に前記端末装置にて保持される、請求項２に記載の入力デバイス。
【請求項９】
前記用途属性が認証事項入力用である場合、前記入力デバイスを使用して入力された入力内容は、
前記端末装置にて事後変更不可として電子署名が付加されて保持される、請求項２に記載の入力デバイス。
【請求項１０】
前記用途属性は、
文字入力用、記載消去用、認証事項入力用、補足事項入力用、または、手書入力変換用である、請求項２に記載の入力デバイス。
【請求項１１】
前記ユーザは、
特定の個人、特定の集団、または、全員である、請求項４に記載の入力デバイス。
【請求項１２】
前記ドキュメント画面は、
帳票レイアウト画面である、請求項１乃至１１のいずれか一つに記載の入力デバイス。
【請求項１３】
複数の入力デバイスと、端末装置と、で構成されるドキュメント入力システムであって、
前記入力デバイスは、
前記入力デバイスのデバイスＩＤを少なくとも含むデバイス情報を記憶するデバイス情報記憶手段と、
検出部における前記端末装置のタッチパネルへのタッチ操作を検出するタッチ操作検出手段と、
前記タッチ操作が検出された場合、前記デバイス情報を前記端末装置に送信するデバイス情報送信手段と、
を備え、
前記端末装置は、
前記デバイスＩＤと、前記入力デバイスの用途属性と、前記入力デバイスの書式属性と、を含む、複数の前記入力デバイスに関する前記デバイス情報である複数デバイス情報を記憶する複数デバイス情報記憶手段と、
ドキュメント画面を前記タッチパネルに表示させるドキュメント表示手段と、
前記タッチパネルへの前記タッチ操作を検出するタッチ操作検出手段と、
前記入力デバイスから送信された前記デバイス情報を受信するデバイス情報受信手段と、
前記デバイス情報受信手段により受信された前記デバイス情報に対応する前記複数デバイス情報と前記タッチ操作とに基づく入力内容を保持する入力内容保持手段と、
を備えたことを特徴とする、ドキュメント入力システム。
【請求項１４】
端末装置のタッチパネルに表示されたドキュメント画面に入力するための入力デバイスで実行される、
検出部における前記タッチパネルへのタッチ操作を検出するタッチ操作検出ステップと、
前記タッチ操作が検出された場合、入力デバイスのデバイスＩＤを少なくとも含むデバイス情報を前記端末装置に送信するデバイス情報送信ステップと、
を含むことを特徴とする、ドキュメント入力方法。
【請求項１５】
端末装置のタッチパネルに表示されたドキュメント画面に入力するための入力デバイスに、
検出部における前記タッチパネルへのタッチ操作を検出するタッチ操作検出ステップと、
前記タッチ操作が検出された場合、入力デバイスのデバイスＩＤを少なくとも含むデバイス情報を前記端末装置に送信するデバイス情報送信ステップと、
を実行させるためのプログラム。
【発明の詳細な説明】
【技術分野】
【０００１】
本発明は、入力デバイス、ドキュメント入力システム、ドキュメント入力方法、および、プログラムに関する。
【背景技術】
【０００２】
従来から、タッチペンで文字入力を行う技術が開示されている。【０００３】
ここで、使用者に手書き入力した図形とデータの表示色を容易でかつ迅速に変更することができるような、複数の色を有する電子ペンが開示されている（特許文献１を参照）。【０００４】
また、画像印刷装置の確認・編集用モニタのタッチパネルに対して、線画用タッチペンで任意の線や背景などを入力することができ、スタンプ用タッチペンで編集対象画像に任意の文字や図形などを入力することができ、消しゴム用タッチペンで編集対象画像に書き込まれた編集情報を消去することができる技術が開示されている（特許文献２を参照）。
【先行技術文献】
【特許文献】
【０００５】
【特許文献１】特開２００５−１８２５４２号公報
【特許文献２】特開２００３−１５８７１３号公報
【発明の概要】
【発明が解決しようとする課題】
【０００６】
しかしながら、従来のタッチペン（特許文献１等）においては、書式等の入力属性以外の属性を入力用ハードウェア毎に保持していないという問題点を有していた。【０００７】
本発明は、上記問題点に鑑みてなされたもので、従来の紙での運用時の筆箱に入った筆記用具のように、様々な属性を備えた入力用ハードウェアを複数使用して入力内容を切り分けることで、初心者にも記入しやすい環境を提供することができる、入力デバイス、ドキュメント入力システム、ドキュメント入力方法、および、プログラムを提供することを目的とする。
【課題を解決するための手段】
【０００８】
このような目的を達成するため、本発明に係る入力デバイスは、端末装置のタッチパネルに表示されたドキュメント画面に入力するための、入力デバイスのデバイスＩＤを少なくとも含むデバイス情報を記憶するデバイス情報記憶手段と、検出部における前記タッチパネルへのタッチ操作を検出するタッチ操作検出手段と、前記タッチ操作が検出された場合、前記デバイス情報を前記端末装置に送信するデバイス情報送信手段と、を備えたことを特徴とする。【０００９】
また、本発明に係るドキュメント入力システムは、複数の入力デバイスと、端末装置と、で構成されるドキュメント入力システムであって、前記入力デバイスは、前記入力デバイスのデバイスＩＤを少なくとも含むデバイス情報を記憶するデバイス情報記憶手段と、検出部における前記端末装置のタッチパネルへのタッチ操作を検出するタッチ操作検出手段と、前記タッチ操作が検出された場合、前記デバイス情報を前記端末装置に送信するデバイス情報送信手段と、を備え、前記端末装置は、前記デバイスＩＤと、前記入力デバイスの用途属性と、前記入力デバイスの書式属性と、を含む、複数の前記入力デバイスに関する前記デバイス情報である複数デバイス情報を記憶する複数デバイス情報記憶手段と、ドキュメント画面を前記タッチパネルに表示させるドキュメント表示手段と、前記タッチパネルへの前記タッチ操作を検出するタッチ操作検出手段と、前記入力デバイスから送信された前記デバイス情報を受信するデバイス情報受信手段と、前記デバイス情報受信手段により受信された前記デバイス情報に対応する前記複数デバイス情報と前記タッチ操作とに基づく入力内容を保持する入力内容保持手段と、を備えたことを特徴とする。【００１０】
また、本発明に係るドキュメント入力方法は、端末装置のタッチパネルに表示されたドキュメント画面に入力するための入力デバイスで実行される、検出部における前記タッチパネルへのタッチ操作を検出するタッチ操作検出ステップと、前記タッチ操作が検出された場合、入力デバイスのデバイスＩＤを少なくとも含むデバイス情報を前記端末装置に送信するデバイス情報送信ステップと、を含むことを特徴とする。【００１１】
また、本発明に係るプログラムは、端末装置のタッチパネルに表示されたドキュメント画面に入力するための入力デバイスに、検出部における前記タッチパネルへのタッチ操作を検出するタッチ操作検出ステップと、前記タッチ操作が検出された場合、入力デバイスのデバイスＩＤを少なくとも含むデバイス情報を前記端末装置に送信するデバイス情報送信ステップと、を実行させることを特徴とする。
【発明の効果】
【００１２】
この発明によれば、入力に使用するハードウェアによって動作を制御することができる。
【図面の簡単な説明】
【００１３】
【図１】図１は、本実施形態に係るドキュメント入力システムの構成の一例を示すハードウェア構成図である。
【図２】図２は、本実施形態のドキュメント入力システムにおける処理の一例を示すフローチャートである。
【図３】図３は、本実施形態におけるデバイス情報の一例を示す図である。
【図４】図４は、本実施形態における入力デバイスの動作の一例を示す図である。
【図５】図５は、本実施形態における入力デバイスの動作の一例を示す図である。
【図６】図６は、本実施形態における入力デバイスの動作の一例を示す図である。
【図７】図７は、本実施形態における入力デバイスの動作の一例を示す図である。
【図８】図８は、本実施形態における入力デバイスの動作の一例を示す図である。
【図９】図９は、本実施形態における入力デバイスの動作の一例を示す図である。
【図１０】図１０は、本実施形態における入力項目毎のユーザ権限の一例を示す図である。
【発明を実施するための形態】
【００１４】
以下に、本発明に係る入力デバイス、ドキュメント入力システム、ドキュメント入力方法、および、プログラムの実施形態を図面に基づいて詳細に説明する。なお、この実施形態により本発明が限定されるものではない。
【００１５】
［本実施形態の構成］
以下、本発明の実施形態に係るドキュメント入力システムの構成の一例について図１を参照して説明し、その後、本実施形態の処理等について詳細に説明する。但し、以下に示す実施形態は、本発明の技術思想を具体化するためのドキュメント入力システムを例示するものであって、本発明をこのドキュメント入力システムに特定することを意図するものではなく、特許請求の範囲に含まれるその他の実施形態のドキュメント入力システムにも等しく適用し得るものである。
【００１６】
例えば、本実施形態で例示するドキュメント入力システムにおける端末装置（タブレット）１００と入力デバイス２００との機能分散の形態は以下に限られず、同様の効果や機能を奏し得る範囲において、任意の単位で機能的または物理的に分散・統合して構成することができる。図１は、本実施形態に係るドキュメント入力システムの構成の一例を示すハードウェア構成図である。
【００１７】
図１に示すように、本実施形態のドキュメント入力システムは、概略的に、端末装置（タブレット）１００と、入力デバイス２００と、を通信可能に接続して構成される。ここで、通信は、一例として、Ｂｌｕｅｔｏｏｔｈ（登録商標）等の各種近距離無線方式、または、赤外線通信方式等であってもよい。また、これらドキュメント入力システムの各部は任意の通信路を介して通信可能に接続されていてもよい。
【００１８】
まず、図１に示すように、入力デバイス２００は、概略的に、制御部（処理部）２０２と、記憶部２０６と、検出部２１４と、通信部２１６と、を備えて構成される。ここで、各入力デバイス２００は、それぞれが備える属性に対応したボールペン型、マーカ型、または、消しゴム型等の形状をしていてもよい。また、これら各部は任意の通信路を介して通信可能に接続されている。
【００１９】
ここで、検出部２１４は、物理的接触を検出する検出装置である。ここで、検出部２１４は、物理的接触の検出を信号（デジタル信号）に変換してもよい。
【００２０】
また、通信部２１６は、外部装置（例えば、端末装置１００等）と情報（信号）を送受信する通信装置である。ここで、通信部２１６は、外部装置（例えば、端末装置１００等）に情報（信号）を送信してもよい。また、通信部２１６は、Ｂｌｕｅｔｏｏｔｈ（登録商標）モジュール等を含んでいてもよい。
【００２１】
また、記憶部２０６は、各種のデータベース、テーブル、および／または、ファイル（デバイス情報ファイル２０６ａ等）を格納する。記憶部２０６は、ストレージ手段であり、例えばＲＡＭ・ＲＯＭ等のメモリ、および／または、ＳＳＤ（Ｓｏｌｉｄ  Ｓｔａｔｅ  Ｄｒｉｖｅ）等を用いることができる。記憶部２０６には、ＣＰＵ（Ｃｅｎｔｒａｌ  Ｐｒｏｃｅｓｓｉｎｇ  Ｕｎｉｔ）に命令を与え各種処理を行うためのコンピュータプログラム等が記録されていてもよい。
【００２２】
これら記憶部２０６の各構成要素のうち、デバイス情報ファイル２０６ａは、入力デバイス２００を定義するデバイス情報（デバイス定義情報）を記憶する。ここで、デバイス情報ファイル２０６ａは、入力デバイス２００のデバイスＩＤを少なくとも含むデバイス情報を記憶していてもよい。ここで、デバイス情報は、更に、入力デバイス２００の用途属性を含んでいてもよい。また、デバイス情報は、更に、入力デバイス２００の書式属性を含んでいてもよい。ここで、書式属性は、色、または、線幅等であってもよい。
【００２３】
また、デバイス情報は、更に、入力デバイス２００のユーザに関するユーザ情報を含んでいてもよい。また、ユーザ情報は、入力デバイス２００を使用した入力項目への入力の許否の判定において、入力デバイス２００を使用した入力の許否に関する入力権限属性と比較するためのものであってもよい。ここで、入力権限属性は、入力が許可されたユーザに関するユーザ情報を含んでいてもよい。また、用途属性は、文字入力用（入力用）、記載消去用、認証事項入力用（承認用）、補足事項入力用（コメント用）、または、手書入力変換用（手書認識用）であってもよい。また、ユーザは、特定の個人、特定の集団、または、全員であってもよい。
【００２４】
また、制御部２０２は、入力デバイス２００を統括的に制御するＣＰＵ等からなる。制御部２０２は、制御プログラムと各種の処理手順等を規定したプログラムと所要データとを格納するための内部メモリを有し、これらプログラムに基づいて種々の処理を実行するための情報処理を行う。
【００２５】
ここで、制御部２０２は、大別して、タッチ操作検出部２０２ａ、および、デバイス情報送信部２０２ｂを備える。
【００２６】
タッチ操作検出部２０２ａは、検出部２１４におけるタッチ操作を検出する。ここで、タッチ操作検出部２０２ａは、検出部２１４にて検出された物理的接触に基づいて、検出部２１４におけるタッチ操作を検出してもよい。
【００２７】
デバイス情報送信部２０２ｂは、デバイス情報を端末装置１００に送信する。ここで、デバイス情報送信部２０２ｂは、検出部２１４におけるタッチ操作が検出された場合、デバイス情報ファイル２０６ａに記憶されたデバイス情報を端末装置１００に送信してもよい。また、通信部２１６は、デバイス情報を通信部２１６を介して端末装置１００に送信してもよい。また、通信部２１６は、デバイス情報を信号に変換し、通信部２１６を介して端末装置１００に送信してもよい。すなわち、デバイス情報送信部２０２ｂは、デバイス情報を信号に変換し、通信部２１６を制御して当該信号を端末装置１００に送信させてもよい。
【００２８】
また、図１に示すように、端末装置１００は、概略的に、制御部１０２と、記憶部１０６と、入出力部１１２と、検出部１１４と、通信部１１６と、を備えて構成される。ここで、図１では省略しているが、本実施形態において、更に、入出力部１１２と制御部１０２とを接続する入出力インターフェース部（図示せず）を備えていてもよい。また、端末装置１００は、更に、通信インターフェース部（図示せず）を備えていてもよく、通信インターフェース部を介して、外部装置と相互に通信可能に接続されていてもよい。
【００２９】
通信インターフェース部は、通信回線および／または電話回線等に接続されるアンテナおよび／またはルータ等の通信装置に接続されるインターフェースであり端末装置１００とネットワークとの間における通信制御を行う機能を有していてもよい。ここで、通信インターフェース部は、ＮＩＣ等であってもよい。また、これら各部は任意の通信路を介して通信可能に接続されている。なお、制御部１０２は、入出力部１１２、検出部１１４、通信部１１６、入出力インターフェース部、および、通信インターフェース部を制御してもよい。
【００３０】
ここで、入出力部１１２は、データの入出力（Ｉ／Ｏ）を行う。ここで、入出力部１１２は、例えば、キー入力部、タッチパネル、コントロールパッド（例えば、タッチパッド、および、ゲームパッド等）、マウス、キーボード、および／または、マイク等であってもよい。また、入出力部１１２は、アプリケーション等の表示画面を表示する表示部（例えば、液晶または有機ＥＬ等から構成されるディスプレイ、モニタ、または、タッチパネル等）であってもよい。また、入出力部１１２は、音声情報を音声として出力する音声出力部（例えば、スピーカ等）であってもよい。なお、本実施形態において、入出力部１１２は、タッチパネルを少なくとも備えて構成されてもよい。
【００３１】
ここで、入出力部１１２は、機能概念的に、検出部１１４を備える。検出部１１４は、入出力部（タッチパネル）１１２への物理的接触を検出する検出装置である。ここで、検出部１１４は、物理的接触の検出を信号（デジタル信号）に変換してもよい。
【００３２】
また、通信部１１６は、外部装置（例えば、入力デバイス２００等）と情報（信号）を送受信する通信装置である。ここで、通信部１１６は、外部装置（例えば、入力デバイス２００等）から情報（信号）を受信してもよい。また、通信部１１６は、Ｂｌｕｅｔｏｏｔｈ（登録商標）モジュール等を含んでいてもよい。
【００３３】
また、記憶部１０６は、各種のデータベース、テーブル、および／または、ファイル（デバイス情報テーブル１０６ａ、ドキュメント情報データベース１０６ｂ、入力定義情報データベース１０６ｃ、および、入力データデータベース１０６ｄ等）を格納する。記憶部１０６は、ストレージ手段であり、例えばＲＡＭ・ＲＯＭ等のメモリ、ハードディスクのような固定ディスク装置、ＳＳＤ、フレキシブルディスク、および／または、光ディスク等を用いることができる。記憶部１０６には、ＣＰＵ（Ｃｅｎｔｒａｌ  Ｐｒｏｃｅｓｓｉｎｇ  Ｕｎｉｔ）に命令を与え各種処理を行うためのコンピュータプログラム等が記録されている。
【００３４】
これら記憶部１０６の各構成要素のうち、デバイス情報テーブル１０６ａは、入力デバイス２００を定義するデバイス情報（デバイス定義情報）を記憶する。ここで、デバイス情報ファイル２０６ａは、デバイスＩＤと、入力デバイス２００の用途属性と、入力デバイス２００の書式属性と、を含む、複数の入力デバイス２００に関するデバイス情報である複数デバイス情報を記憶していてもよい。
【００３５】
また、デバイス情報は、更に、入力デバイス２００のユーザに関するユーザ情報を含んでいてもよい。すなわち、デバイス情報テーブル１０６ａは、使用する各入力デバイス２００の識別子とそれぞれに定義した属性とを保持していてもよい。
【００３６】
ドキュメント情報データベース１０６ｂは、ドキュメント情報を記憶する。ここで、ドキュメント情報は、帳票レイアウト情報を含んでいてもよい。ここで、帳票レイアウト情報は、イメージファイルまたはＰＤＦファイルなどのレイアウトが固定のファイルであってもよい。また、ドキュメント情報は、入出力部（タッチパネル）１１２に表示させるためのドキュメント画面を含んでいてもよい。ここで、ドキュメント画面は、帳票レイアウト画面であってもよい。ここで、帳票レイアウト画面は、紙帳票（既存帳票）のレイアウトが固定された画面であってもよい。
【００３７】
入力定義情報データベース１０６ｃは、入力定義情報を記憶する。ここで、入力定義情報は、入力項目を含んでいてもよい。ここで、入力項目は、入力項目毎に入力デバイス２００を使用した入力の許否に関する入力権限属性が設定されていてもよい。すなわち、入力定義情報は、デバイス定義情報に含まれるユーザ情報と組み合わせることで入力デバイス２００毎の入力可否を制御する、各入力項目の入力権限属性を保持していてもよい。
【００３８】
また、入力定義情報は、テキスト・数値などの入力を定義するＸＭＬから構成されていてもよい。また、入力定義情報は、「どの位置に」「どんな大きさで」「どの種類の」項目を入力項目に配置するかの情報を含んでいてもよい。例えば、入力定義情報は、入力項目を配置するための枠（タッチした際に入力モードに移行するオブジェクト）を定義する情報であってもよい。
【００３９】
入力データデータベース１０６ｄは、入力データ（入力内容）を記憶する。ここで、入力データデータベース１０６ｄは、入力デバイス２００によりドキュメント画面に対して入力された入力データ（入力内容）を記憶してもよい。また、ここで、入力データデータベース１０６ｄは、入力デバイス２００により入力項目に入力された入力データ（入力内容）を記憶してもよい。ここで、入力データデータベース１０６ｄは、機能概念的に、コメントデータベース１０６ｅを備える。
【００４０】
コメントデータベース１０６ｅは、コメント（補足内容）を記憶する。ここで、コメントデータベース１０６ｅは、用途属性が補足事項入力用（コメント用）である入力デバイス２００を使用して入力されたコメント（補足内容）を、補足事項入力用（コメント用）以外の用途属性を有する入力デバイス２００を使用して入力された入力内容（入力データ）とは別に記憶してもよい。
【００４１】
また、制御部１０２は、端末装置１００を統括的に制御するＣＰＵ等からなる。制御部１０２は、制御プログラムと各種の処理手順等を規定したプログラムと所要データとを格納するための内部メモリを有し、これらプログラムに基づいて種々の処理を実行するための情報処理を行う。
【００４２】
ここで、制御部１０２は、大別して、出力制御部１０２ａ、デバイス制御部１０２ｄ、および、入力制御部１０２ｈを備える。
【００４３】
出力制御部１０２ａは、入出力部（タッチパネル）１１２における出力制御を行う。ここで、出力制御部１０２ａは、機能概念的に、ドキュメント表示部１０２ｂ、および、入力項目表示部１０２ｃを備える。
【００４４】
ドキュメント表示部１０２ｂは、ドキュメント画面を表示させる。ここで、ドキュメント表示部１０２ｂは、ドキュメント画面を入出力部（タッチパネル）１１２に表示させてもよい。すなわち、ドキュメント表示部１０２ｂは、帳票レイアウト情報（帳票レイアウト画面）を入出力部（タッチパネル）１１２に表示させてもよい。また、ドキュメント表示部１０２ｂは、入出力部（タッチパネル）１１２を介してドキュメント画面に入力された入力データ（入力内容）を、ドキュメント画面上に（ドキュメント画面に重畳して）表示させてもよい。
【００４５】
入力項目表示部１０２ｃは、入力項目を表示させる。ここで、入力項目表示部１０２ｃは、入出力部（タッチパネル）１１２に表示されたドキュメント画面上に入力項目を表示させてもよい。また、入力項目表示部１０２ｃは、入出力部（タッチパネル）１１２に表示された帳票レイアウト画面上に入力項目を表示させてもよい。すなわち、入力項目表示部１０２ｃは、紙帳票のレイアウトの上に入力項目を表示させるようにしている。
【００４６】
ここで、ドキュメント画面に重畳表示された入力項目は、入力デバイス２００を使用した入力の許否に関する入力権限属性が設定されていてもよい。また、入力項目表示部１０２ｃは、入出力部（タッチパネル）１１２を介して入力項目に入力された入力データ（入力内容）を、入力項目上に（入力項目に重畳して）表示させてもよい。すなわち、入力項目表示部１０２ｃは、入力項目に対応した入力データが存在する場合には、そのデータ（テキストまたはイメージ）を枠内に表示させてもよい。
【００４７】
また、デバイス制御部１０２ｄは、入力デバイス２００から送信（通知）される入力デバイス２００のデバイスＩＤ（識別子）を少なくとも含むデバイス情報に基づいて、各入力デバイス２００の動作を制御する。ここで、デバイス制御部１０２ｄは、機能概念的に、タッチ操作検出部１０２ｆ、および、デバイス情報受信部１０２ｇを含む、入力デバイス２００に対する処理を行うデバイス処理部１０２ｅを備える。
【００４８】
タッチ操作検出部１０２ｆは、入出力部（タッチパネル）１１２へのタッチ操作を検出する。ここで、タッチ操作検出部１０２ｆは、検出部１１４にて検出された物理的接触に基づいて、入出力部（タッチパネル）１１２へのタッチ操作を検出してもよい。
【００４９】
デバイス情報受信部１０２ｇは、入力デバイス２００から送信されたデバイス情報を受信する。ここで、デバイス情報受信部１０２ｇは、通信部１１６を介して入力デバイス２００から送信されたデバイス情報を受信してもよい。また、デバイス情報受信部１０２ｇは、通信部１１６にて受信された信号をデバイス情報に変換し、入力デバイス２００から送信されたデバイス情報を受信してもよい。また、デバイス情報受信部１０２ｇは、受信したデバイス情報をデバイス情報テーブル１０６ａに格納（保持）してもよい。
【００５０】
また、入力制御部１０２ｈは、入力デバイス２００による入力の制御を行う。ここで、入力制御部１０２ｈは、機能概念的に、許否判定部１０２ｊ、および、入力内容保持部１０２ｋを含む、入力データ処理を行う入力データ処理部１０２ｉを備える。
【００５１】
許否判定部１０２ｊは、入力デバイス２００を使用した入力項目への入力の許否を判定する。ここで、許否判定部１０２ｊは、入力デバイス２００から送信されたデバイス情報、および、デバイス情報テーブル１０６ａに記憶された複数デバイス情報に基づいて、タッチ操作検出部１０２ｆによりタッチ操作が検出された入力項目の入力権限属性と、デバイス情報を送信した入力デバイス２００のユーザ情報と、を比較することにより入力デバイス２００を使用した入力項目への入力の許否を判定してもよい。
【００５２】
入力内容保持部１０２ｋは、入力内容を入力データデータベース１０６ｄに保持（格納）する。ここで、入力内容保持部１０２ｋは、デバイス情報受信部１０２ｇにより受信されたデバイス情報に対応する、デバイス情報テーブル１０６ａに記憶された複数デバイス情報と、タッチ操作検出部１０２ｆにより検出されたタッチ操作と、に基づく入力内容（入力データ）を入力データデータベース１０６ｄに保持（格納）してもよい。
【００５３】
また、入力内容保持部１０２ｋは、許否判定部１０２ｊにより入力許可と判定された場合、入力項目への入力内容（入力データ）を入力データデータベース１０６ｄに保持（格納）してもよい。また、入力内容保持部１０２ｋは、入力デバイス２００を使用して入力された入力内容（入力データ）を、電子署名を付加して入力データデータベース１０６ｄに保持（格納）してもよい。
【００５４】
また、入力内容保持部１０２ｋは、入力デバイス２００を使用して入力された入力内容（入力データ）を、ＯＣＲ変換したＯＣＲ変換内容を入力データデータベース１０６ｄに保持（格納）してもよい。また、入力内容保持部１０２ｋは、入力デバイス２００の用途属性が補足事項入力用である場合、入力デバイス２００を使用して入力された補足内容（コメント）を、補足事項入力用以外の用途属性を有する入力デバイス２００を使用して入力された入力内容（入力データ）とは別に入力データデータベース１０６ｄ（コメントデータベース１０６ｅ）に保持（格納）してもよい。
【００５５】
また、入力内容保持部１０２ｋは、入力デバイス２００の用途属性が認証事項入力用である場合、入力デバイス２００を使用して入力された入力内容（入力データ）を、事後変更不可として電子署名を付加して入力データデータベース１０６ｄに保持（格納）してもよい。
【００５６】
［本実施形態の処理］
上述した構成のドキュメント入力システムで実行される処理の一例について、図２乃至図１０を参照して説明する。図２は、本実施形態のドキュメント入力システムにおける処理の一例を示すフローチャートである。
【００５７】
図２に示すように、まず、タブレット１００のドキュメント表示部１０２ｂは、帳票レイアウト画面をタッチパネル１１２に表示させ、入力項目表示部１０２ｃは、タッチパネル１１２に表示された帳票レイアウト画面上に入力項目を表示させる（ステップＳＡ−１）。ここで、入力項目は、入力デバイス２００を使用した入力の許否に関する入力権限属性が設定されていてもよい。
【００５８】
そして、タブレット１００のタッチ操作検出部１０２ｆは、タッチパネル１１２への入力デバイス２００によるタッチ操作が検出されたか否か判定する（ステップＳＡ−２）。      
【００５９】
そして、タブレット１００のタッチ操作検出部１０２ｆは、タッチパネル１１２への入力デバイス２００によるタッチ操作が検出されていないと判定した場合（ステップＳＡ−２：Ｎｏ）、タッチ操作が検出されるまで待機する。
【００６０】
一方、タブレット１００のタッチ操作検出部１０２ｆは、タッチパネル１１２への入力デバイス２００によるタッチ操作が検出されたと判定した場合（ステップＳＡ−２：Ｙｅｓ）、処理をステップＳＡ−６に移行させる。
【００６１】
また、入力デバイス２００のタッチ操作検出部２０２ａは、検出部２１４におけるタッチ操作が検出されたか否か判定する（ステップＳＡ−３）。
【００６２】
そして、入力デバイス２００のタッチ操作検出部２０２ａは、検出部２１４におけるタッチ操作が検出されていないと判定した場合（ステップＳＡ−３：Ｎｏ）、タッチ操作が検出されるまで待機する。
【００６３】
一方、入力デバイス２００のタッチ操作検出部２０２ａは、検出部２１４におけるタッチ操作が検出されたと判定した場合（ステップＳＡ−３：Ｙｅｓ）、処理をステップＳＡ−４に移行させる。
【００６４】
そして、入力デバイス２００のデバイス情報送信部２０２ｂは、デバイス情報ファイル２０６ａに記憶された入力デバイス２００のデバイスＩＤを少なくとも含むデバイス情報を取得する（ステップＳＡ−４）。ここで、デバイス情報は、更に、入力デバイス２００の用途属性を含んでいてもよい。また、デバイス情報は、更に、入力デバイス２００の書式属性を含んでいてもよい。また、デバイス情報は、更に、入力デバイス２００のユーザに関するユーザ情報を含んでいてもよい。
【００６５】
そして、入力デバイス２００のデバイス情報送信部２０２ｂは、取得した入力デバイス２００のデバイスＩＤを少なくとも含むデバイス情報を、通信部２１６を介して端末装置１００に送信し（ステップＳＡ−５）、処理をステップＳＡ−３に移行させる。
【００６６】
そして、タブレット１００のデバイス情報受信部１０２ｇは、通信部１１６を介して入力デバイス２００から送信されたデバイス情報を受信する（ステップＳＡ−６）。ここで、デバイス情報受信部１０２ｇは、受信したデバイス情報をデバイス情報テーブル１０６ａに格納してもよい。
【００６７】
そして、タブレット１００のデバイス制御部１０２ｄは、デバイス情報受信部１０２ｇによりどのような情報を含むデバイス情報が受信されたか否か判定する（ステップＳＡ−７）。
【００６８】
タブレット１００のデバイス制御部１０２ｄは、デバイス情報受信部１０２ｇにより受信されたデバイス情報に入力デバイス２００の属性（用途属性、および、書式属性）と、入力デバイス２００のユーザに関するユーザ情報とが含まれていると判定した場合（ステップＳＡ−７：属性・ユーザ情報あり）、処理をステップＳＡ−９に移行させる。
【００６９】
一方、タブレット１００のデバイス制御部１０２ｄは、デバイス情報受信部１０２ｇにより受信されたデバイス情報にデバイスＩＤのみ含まれていると判定した場合（ステップＳＡ−７：デバイスＩＤのみ）、デバイス情報テーブル１０６ａに記憶された複数デバイス情報を参照して、当該デバイスＩＤが付与された入力デバイス２００の属性（用途属性、および、書式属性）と、当該デバイスＩＤが付与された入力デバイス２００のユーザに関するユーザ情報とを取得し（ステップＳＡ−８）、処理をステップＳＡ−９に移行させる。
【００７０】
ここで、図３を参照して、本実施形態におけるデバイス情報に保持される情報の一例について説明する。図３は、本実施形態におけるデバイス情報の一例を示す図である。
【００７１】
図３に示すように、タブレット１００側（デバイス情報テーブル１０６ａ）に記憶された複数の入力デバイス２００に関するデバイス情報である複数デバイス情報には、各入力デバイス２００のデバイス（Ｄｅｖ）ＩＤ（例えば、Ｄｅｖ０００１−Ｄｅｖ０００８等）に対応付けて、各入力デバイス２００の属性（例えば、種別、種別補足、および、電子署名付加などを含む用途属性、ならびに、色などを含む書式属性等）とユーザ情報（例えば、全員を示すＡＬＬ、または、特定の個人を示すＵｓｅｒ００１−００３等）とが含まれている。
【００７２】
ここで、種別としては、ペン、消しゴム（記載消去用）、マーカ、または、手書認識ペン等であってもよい。また、種別補足としては、入力用（文字入力用）、承認用（認証事項入力用）、または、コメント用（補足事項入力用）等であってもよい。また、色としては、黒、赤、または、青等であってもよい。なお、入力デバイス２００側（デバイス情報ファイル２０６ａ）には、デバイスＩＤのみ記憶されていてもよく、入力デバイス２００に関する１レコード分のデバイス情報が記憶されていてもよい。
【００７３】
図２に戻り、タブレット１００の入力制御部１０２ｈは、入力デバイス２００の属性（用途属性、および、書式属性）およびユーザ情報に従って、入力デバイス２００により帳票レイアウト画面および／または入力項目に入力された入力内容および／またはコメントの制御処理を実施し、ドキュメント表示部１０２ｂは、帳票レイアウト画面に入力された入力内容および／またはコメントを、帳票レイアウト画面上に表示させ、入力項目表示部１０２ｃは、入力項目に入力された入力内容および／またはコメントを、入力項目上に表示させることで、帳票レイアウト画面へ制御処理を反映させ（ステップＳＡ−９）、処理をステップＳＡ−２に移行させる。なお、本処理は、タブレット１００の電源ＯＦＦ、または、アプリケーション終了により、終了してもよい。
【００７４】
このように、本実施形態において、入力デバイス２００側では、タッチ操作が行われた際にデバイス情報をタブレット１００側に通知することができる。また、本実施形態において、タブレット１００側では、通知タッチ操作が行われた際に、受信したデバイス情報を判定し、属性・ユーザ情報に従って動作を行うことができる。
【００７５】
このように、本実施形態においては、入力属性を事前定義した入力手段を複数用いることで、属性の切り分けができる。また、本実施形態において、入力属性の指定にユーザ情報を付加することができ、ユーザにあわせた情報および／または権限の付加、入力者のトレースを容易に行うことができる。また、本実施形態において、帳票レイアウトおよび入力データに影響を与えることなく、補足情報を入力および／または表示し、補足情報を帳票本体の情報とは別に保持することができるため、補足情報の追加または削除を容易に行うことができる。
【００７６】
ここで、図４乃至図９を参照して、本実施形態における各入力デバイス２００の動作の一例について説明する。図４乃至図９は、本実施形態における入力デバイス２００の動作の一例を示す図である。
【００７７】
図４に示すように、図３に示すデバイスＩＤ：Ｄｅｖ０００１−Ｄｅｖ０００３に対応する入力デバイス２００である黒入力用ペン（Ｄｅｖ０００１）、赤入力用ペン（Ｄｅｖ０００２）、および、青入力用ペン（Ｄｅｖ０００３）を使用して、入力項目１−３に入力された場合、タブレット１００の入力項目表示部１０２ｃは、入力項目１−３に入力された入力内容を、タッチパネル１１２に表示された入力項目１−３上に表示させる。
【００７８】
すなわち、図４に示すように、黒入力用ペン（Ｄｅｖ０００１）を使用して、入力項目１に入力された場合、タブレット１００の入力項目表示部１０２ｃは、入力項目１に入力された入力内容（黒細字の「あいう」）を、タッチパネル１１２に表示された入力項目１上に表示させる。
【００７９】
また、図４に示すように、赤入力用ペン（Ｄｅｖ０００２）を使用して、入力項目２に入力された場合、タブレット１００の入力項目表示部１０２ｃは、入力項目２に入力された入力内容（赤細字の「あいう」）を、タッチパネル１１２に表示された入力項目２上に表示させる。
【００８０】
また、図４に示すように、青入力用ペン（Ｄｅｖ０００３）を使用して、入力項目３に入力された場合、タブレット１００の入力項目表示部１０２ｃは、入力項目３に入力された入力内容（青細字の「あいう」）を、タッチパネル１１２に表示された入力項目３上に表示させる。
【００８１】
このように、本実施形態においては、指定された色で入力域へ入力できる。なお、ユーザは、共通ユーザ（ＡＬＬ）であるため、だれが書いたかの特定はできない。従来は、画面上のツールバー等で色の選択を行う必要があったが、本実施形態においては、入力デバイス２００を持ち替えることで属性を変更できるため入力を簡易化できる。
【００８２】
また、図５に示すように、図３に示すデバイスＩＤ：Ｄｅｖ０００４に対応する入力デバイス２００である赤入力用ペン（Ｄｅｖ０００４）を使用して、入力項目１に入力された場合、タブレット１００の入力項目表示部１０２ｃは、入力項目１に入力された入力内容（赤細字の「あいう」）を、タッチパネル１１２に表示された入力項目１上に表示させる。
【００８３】
このように、本実施形態においては、指定された色で入力域へ入力できる。なお、赤入力用ペン（Ｄｅｖ０００４）は特定の個人を特定するユーザ情報が定義されているので、入力内容に対応付けてユーザ情報：Ｕｓｅｒ００１が記録されるため、だれが書いたかを捕捉できる。したがって、複数人の記入後にもだれが書いたかの追跡が可能となる。
【００８４】
また、図６に示すように、図３に示すデバイスＩＤ：Ｄｅｖ０００５に対応する入力デバイス２００である承認用ペン（Ｄｅｖ０００５）を使用して、タッチパネル１１２に表示された帳票レイアウト画面に重畳表示され、且つ、入力デバイス２００を使用した入力の許否に関する入力権限属性が設定された入力項目に入力された場合、タブレット１００の許否判定部１０２ｊは、当該入力項目の入力権限属性と、承認用ペン（Ｄｅｖ０００５）のユーザ情報と、を比較することにより承認用ペン（Ｄｅｖ０００５）を使用した入力項目への入力の許否を判定する。
【００８５】
そして、図６に示すように、許否判定部１０２ｊにより承認用ペン（Ｄｅｖ０００５）を使用した入力項目への入力が許可されると判定された場合、タブレット１００の入力項目表示部１０２ｃは、入力項目に入力された入力内容（黒細字の「日本太郎」）を、タッチパネル１１２に表示された入力項目上に表示させ、タブレット１００の入力内容保持部１０２ｋは、当該入力内容を、電子署名を付加して入力データデータベース１０６ｄに保持する。
【００８６】
このように、本実施形態においては、指定された色で入力域へ入力できる。なお、承認用ペン（Ｄｅｖ０００５）は特定の個人を特定するユーザ情報が定義されているので、入力内容に対応付けてユーザ情報：Ｕｓｅｒ００２が記録される。また、本実施形態においては、入力後に文書の変更を不可とし、電子署名を付加する。
【００８７】
また、本実施形態においては、承認者専用の入力デバイス２００とすることで、承認サイン後の動作（署名後の更新可否、および／または、電子署名付与等）を規定できる。また、本実施形態においては、入力デバイス２００による承認サイン実施時に、認証サーバ等の外部装置への問い合わせを行い、認証を行ってもよい。
【００８８】
また、図７に示すように、図３に示すデバイスＩＤ：Ｄｅｖ０００６に対応する入力デバイス２００である消しゴム（Ｄｅｖ０００６）を使用して、黒入力用ペン（Ｄｅｖ０００１）を使用して入力項目１に入力された入力内容（黒細字の「あいう」）が擦られた場合、タブレット１００の入力項目表示部１０２ｃは、入力項目１上に表示されていた入力内容（黒細字の「あいう」）を消して、入力項目１をタッチパネル１１２に表示させる。
【００８９】
ここで、本実施形態においては、権限にあわせて、消せる情報を変えてもよい。図７において、共通ユーザ（ＡＬＬ）が指定されている（すなわち、消しゴム（Ｄｅｖ０００６）のユーザ情報にＡＬＬが定義されている）ため、共通ユーザ（ＡＬＬ）が入力した項目のみ消すことができる。
【００９０】
このように、従来、画面上のツールバー等で消しゴムのツールを選択していたものを、本実施形態においては、入力デバイス２００を持ち替えるだけで消去を行うことができる。また、本実施形態においては、デバイス情報にユーザ情報を付加することで、他人の記載内容を消せなくするなどの制御をすることができる。
【００９１】
また、図８に示すように、図３に示すデバイスＩＤ：Ｄｅｖ０００７に対応する入力デバイス２００であるマーカ用ペン（Ｄｅｖ０００７）を使用して、タッチパネル１１２に表示された帳票レイアウト画面に入力された場合、タブレット１００の入力項目表示部１０２ｃは、帳票レイアウト画面に入力された補足内容（赤太線の枠）を、タッチパネル１１２に表示された帳票レイアウト画面上に表示させ、タブレット１００の入力内容保持部１０２ｋは、当該補足内容を、入力内容とは別にコメントデータベース１０６ｅに保持（格納）する。
【００９２】
このように、本実施形態においては、留意事項、または、強調したい箇所をコメント入力できる。また、本実施形態において、コメントは、帳票本体とは別に保持されるため、帳票出力時には出力されない。したがって、入力対象者に対して、この範囲の入力を促すマーカでの囲み、または、署名の対象者等の留意事項の記載等を行え、紙で運用と同様に依頼者と入力者での連携がとれる。
【００９３】
このように、従来、ツールバー等で手書き、太線、および、赤などを選択して入力していたものを、本実施形態においては、入力デバイス２００を切り替えるだけでマーカとして選択することができる。また、従来、事前に入力項目として定義した箇所にのみコメント入力できたが、本実施形態においては、コメントとして帳票本体とは別に保存できるため、記入時にのみ読む留意事項等を帳票レイアウト画面全体に記載することができる。
【００９４】
また、図９に示すように、図３に示すデバイスＩＤ：Ｄｅｖ０００８に対応する入力デバイス２００である手書認識用ペン（Ｄｅｖ０００８）を使用して、入力項目に入力された場合、タブレット１００の入力項目表示部１０２ｃは、入力項目に入力された入力内容（黒細字の「日本太郎」）をＯＣＲ変換し、ＯＣＲ変換内容を、タッチパネル１１２に表示された入力項目上に表示させ、タブレット１００の入力内容保持部１０２ｋは、ＯＣＲ変換内容を入力データデータベース１０６ｄに保持する。
【００９５】
このように、従来、手書き入力したものはイメージとして保存され、データとしての再利用ができなかったが、本実施形態においては、文字への変換を行うことで、データとしての再利用ができる。また、本実施形態においては、手書きされた文字列をＯＣＲ変換し、併せて、ペンの動きから書き順なども考慮し変換精度を向上させてもよい。すなわち、本実施形態においては、従来のＯＣＲ認識に加え、「書き順」、「とめ」、および、「はね」等の動きを検知することで変換精度を向上させてもよい。
【００９６】
また、図１０を参照して、本実施形態における入力項目毎のユーザ権限の一例について説明する。図１０は、本実施形態における入力項目毎のユーザ権限の一例を示す図である。
【００９７】
図１０に示すように、本実施形態においては、ユーザ情報がＡＬＬ（ユーザ指定なし）である黒入力用ペン（Ｄｅｖ０００１）を使用して、帳票レイアウト画面中の部分（預金口座）に重畳表示され、且つ、入力権限属性が設定されていない入力項目に入力された場合、入力内容を記入可能としている。
【００９８】
一方、本実施形態においては、ユーザ情報がＡＬＬ（ユーザ指定なし）である黒入力用ペン（Ｄｅｖ０００１）を使用して、帳票レイアウト画面中の部分（カード会社使用欄）に重畳表示され、且つ、入力権限属性（窓口担当者のみ入力可能）が設定された入力項目に入力された場合、入力内容を記入不可としている。したがって、記入者によって入力抑止させることが可能となり誤入力が防止できる。
【００９９】
そして、図１０に示すように、本実施形態においては、ユーザ情報がＵｓｅｒ００１（窓口担当者）である赤入力用ペン（Ｄｅｖ０００４）を使用して、帳票レイアウト画面中の部分（預金口座）に重畳表示され、且つ、入力権限属性が設定されていない入力項目に入力された場合、入力内容を記入可能としている。
【０１００】
また、本実施形態においては、ユーザ情報がＵｓｅｒ００１（窓口担当者）である赤入力用ペン（Ｄｅｖ０００４）を使用して、帳票レイアウト画面中の部分（カード会社使用欄）に重畳表示され、且つ、入力権限属性（窓口担当者のみ入力可能）が設定された入力項目に入力された場合、入力内容を記入可能としている。
【０１０１】
このように、本実施形態においては、預金口座情報の入力項目は、お客様が入力可能とし、カード会社使用欄の入力項目は、窓口担当者のみ入力可能とすることで、誤入力を防止できるようにしている。また、本実施形態においては、入力デバイス２００を複数用意することで、だれでも入力できるペンと個人用ペンとを使い分けることができ、お客様入力用または窓口担当者用等に使い分け、誰が記入したかをチェックすることができる。
【０１０２】
以上のように、本実施形態においては、帳票レイアウト表示処理および入力項目表示処理を行い、且つ、入力に使用するハードウェアを切り替えることによって動作を制御している。また、本実施形態においては、色および線幅などを事前に設定したペン、または、電子署名などの属性を事前に設定した入力手段等を複数使用することで、紙上で各色のペンでメモするように、入力したり、署名したりすることができる。
【０１０３】
また、本実施形態においては、消しゴムのように入力内容を削除する手段を使用して、紙上で消しゴムを使うように、入力内容を消去することができる。また、本実施形態においては、手書き入力を認識させて活字に変換させることもできる。また、本実施形態においては、入力者毎の情報を保持したペンを使用することで、各項目への記入権限の制御（顧客用または営業担当用等）、および、記入履歴の保持（だれが書いたか等）を行うことができる。
【０１０４】
また、本実施形態においては、対象範囲の入力を促すマーカでの囲み、または、記入者にあわせて”ＸＸ様の署名をお願いします”といった留意事項の記載等、帳票の入力後には不要な一時的なデータ入力を行うことができる属性をもった入力手段、ならびに、入力内容を帳票本体の情報とは別に補足情報として保持する手段を有している。
【０１０５】
また、本実施形態においては、業務を紙で運用してきたユーザにとってあたりまえの操作である、入力器具（たとえば、ペン、または、消しゴム等）の切り替えと同じように、タッチパネル入力においても簡単に属性変更することができようにしている。これにより、本実施形態においては、ＩＴリテラシの低い人にもモバイル端末上に表示する紙帳票への入力の難易度を下げることができる。
【０１０６】
また、本実施形態においては、モバイル端末上に表示する紙帳票への入力の場合、入力するハードウェア（ペンなど）は通常一種類で、色または線幅などの属性はソフトウェア上でその都度指定する必要があり、入力に手間がかかっていたという従来の課題を解決している。
【０１０７】
また、本実施形態においては、紙での運用時に行っていた、記入者への手書き指示（入力対象のマーカでの強調、または、入力対象の留意事項のメモ書き等）ができないため、顧客ごとに入力範囲が異なる場合などに、入力範囲の明示、または、留意事項の補足が困難であったという従来の課題を解決している。
【０１０８】
［他の実施形態］
さて、これまで本発明の実施形態について説明したが、本発明は、上述した実施形態以外にも、特許請求の範囲に記載した技術的思想の範囲内において種々の異なる実施形態にて実施されてよいものである。
【０１０９】
また、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１１０】
このほか、明細書中および図面中で示した処理手順、制御手順、具体的名称、各処理の登録データもしくは検索条件等のパラメータを含む情報、画面例、または、データベース構成については、特記する場合を除いて任意に変更することができる。
【０１１１】
また、端末装置１００、および、入力デバイス２００に関して、図示の各構成要素は機能概念的なものであり、必ずしも物理的に図示の如く構成されていることを要しない。
【０１１２】
例えば、端末装置１００、および、入力デバイス２００の各装置が備える処理機能、特に制御部１０２、または、制御部２０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する、コンピュータに本発明に係る方法を実行させるためのプログラム化された命令を含む、一時的でないコンピュータ読み取り可能な記録媒体に記録されており、必要に応じて端末装置１００、または、入力デバイス２００に機械的に読み取られる。すなわち、ＲＯＭまたはＨＤＤ（Ｈａｒｄ  Ｄｉｓｋ  Ｄｒｉｖｅ）などの記憶部１０６、または、記憶部２０６などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１１３】
また、このコンピュータプログラムは、端末装置１００、または、入力デバイス２００に対して任意のネットワークを介して接続されたアプリケーションプログラムサーバに記憶されていてもよく、必要に応じてその全部または一部をダウンロードすることも可能である。
【０１１４】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ（登録商標）  Ｄｉｓｃ等の任意の「可搬用の物理媒体」を含むものとする。
【０１１５】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施形態に示した各装置において記録媒体を読み取るための具体的な構成、読み取り手順、あるいは、読み取り後のインストール手順等については、周知の構成や手順を用いることができる。
【０１１６】
記憶部１０６、および、記憶部２０６に格納される各種のデータベース等（デバイス情報テーブル１０６ａ、ドキュメント情報データベース１０６ｂ、入力定義情報データベース１０６ｃ、入力データデータベース１０６ｄ、コメントデータベース１０６ｅ、および、デバイス情報ファイル２０６ａ）は、ＲＡＭもしくはＲＯＭ等のメモリ装置、ハードディスク等の固定ディスク装置、フレキシブルディスク、および／または、光ディスク等のストレージ手段であり、各種処理やウェブサイト提供に用いる各種のプログラム、テーブル、データベース、および／または、ウェブページ用ファイル等を格納してもよい。
【０１１７】
また、端末装置１００は、既知のパーソナルコンピュータ、ワークステーション等の情報処理端末として構成してもよく、また、該情報処理端末に任意の周辺装置を接続して構成してもよい。また、端末装置１００は、該情報処理端末に本発明の方法を実現させるソフトウェア（プログラム、データ等を含む）を実装することにより実現してもよい。
【０１１８】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【０１１９】
以上のように、従来の紙での運用時の筆箱に入った筆記用具のように、入力用ハードウェアを複数使用して入力内容を切り分けることで、初心者にも記入しやすい環境を提供することができる、本発明に係る入力デバイス、ドキュメント入力システム、ドキュメント入力方法、および、プログラムは、産業上の多くの分野、特に情報処理分野で実施することができ、極めて有用である。
【符号の説明】
【０１２０】
１００  端末装置
１０２  制御部
１０２ａ  出力制御部
１０２ｂ  ドキュメント表示部
１０２ｃ  入力項目表示部
１０２ｄ  デバイス制御部
１０２ｅ  デバイス処理部
１０２ｆ  タッチ操作検出部
１０２ｇ  デバイス情報受信部
１０２ｈ  入力制御部
１０２ｉ  入力データ処理部
１０２ｊ  許否判定部
１０２ｋ  入力内容保持部
１０６  記憶部
１０６ａ  デバイス情報テーブル
１０６ｂ  ドキュメント情報データベース
１０６ｃ  入力定義情報データベース
１０６ｄ  入力データデータベース
１０６ｅ  コメントデータベース
１１２  入出力部
１１４  検出部
１１６  通信部
２００  入力デバイス
２０２  制御部
２０２ａ  タッチ操作検出部
２０２ｂ  デバイス情報送信部
２０６  記憶部
２０６ａ  デバイス情報ファイル
２１４  検出部
２１６  通信部
【図１】
2015189942.tif 000003
【図２】
2015189942.tif 000004
【図３】
2015189942.tif 000005
【図４】
2015189942.tif 000006
【図５】
2015189942.tif 000007
【図６】
2015189942.tif 000008
【図７】
2015189942.tif 000009
【図８】
2015189942.tif 000010
【図９】
2015189942.tif 000011
【図１０】
2015189942.tif 000012
【国際調査報告】
2015189942.tif 000013
2015189942.tif 000014
2015189942.tif 000015
2015189942.tif 000016